【手続補正書】
【提出日】平成25年4月24日(2013.4.24)
【手続補正１】
【補正対象書類名】特許請求の範囲
【補正対象項目名】全文
【補正方法】変更
【補正の内容】
【特許請求の範囲】
【請求項１】
技術的設備または技術的プロセスの複数の警報メッセージを管理する警報管理システムであって、
前記複数の警報メッセージは、データ処理装置へ供給されることができ、複数のディスプレイモジュール（41、42、43…4n）を使用して提示されることができ、
前記データ処理装置は、それぞれ係属中の複数の警報メッセージの異なるタイプの提示のために複数の警報チャンネル（K1、K2、K3）を作成するモジュール（10）を有し、
前記モジュール（10）を使用して作成された複数の警報チャンネル（K1、K2、K3）の各々は、前記複数のディスプレイモジュール（41、42、43…4n）のうちの１つのディスプレイモジュールへそれぞれ割当てられており、
前記作成された複数の警報チャンネル（K1、K2、K3）は、複数の通信チャンネルの形態であり、前記複数の警報メッセージを前記複数のディスプレイモジュール（41、42、43…4n）に送信することを目的としており、
対応するディスプレイモジュール（41、42、43…4n）への割当てに関する複数の境界条件（50）が、作成された前記警報チャンネル（K1、K2、K3）に対してそれぞれ規定されており、
各警報チャンネル（K1、K2、K3）に対する比較モジュールは、前記複数の警報メッセージを、関連する複数の境界条件（50）と、一致について比較し、
それぞれの前記警報チャンネル（K1、K2、K3）の前記関連する複数の境界条件（50）に一致する複数の警報メッセージは、それぞれの前記警報チャンネル（K1、K2、K3）の対応するディスプレイモジュール（41、42、43…4n）に提示するために供給されることができ、
前記対応するディスプレイモジュール（41、42、43…4n）への割当てに関する関連する複数の境界条件（50）に一致しない複数の警報メッセージは、
選択モジュール（31、32、33）へ供給されることができ、
別のディスプレイモジュール（41、42、43…4n）に割当てるために、予め決定されている複数の脱出規則と一致についてチェックされることができ、
前記別のディスプレイモジュール（41、42、43…4n）への前記複数の脱出規則においてそれぞれ決定されている条件に従って、提示するために送信されることができる、ことを特徴とする警報管理システム。
【請求項２】
第１の警報チャンネル(K1)に割当てることができる前記複数の警報メッセージを、リストとして提示するために、前記第１の警報チャンネル(K1)を備えており、
複数の音響信号と共に第２の警報チャンネル(K2)に割当てることができる前記複数の警報メッセージを提示するために、前記第２の警報チャンネル(K2)を備えている、ことを特徴とする請求項１記載の警報管理システム。
【請求項３】
係属中の複数の警報メッセージのための前記複数のディスプレイモジュールによって与えられる複数のタイプの提示は、警報クラウドおよび／または警報経歴のような提示をさらに含む、ことを特徴とする請求項１又は２記載の警報管理システム。
【請求項４】
少なくとも１つの警報チャンネル（K1、K2、K3）は、ｅメールまたはＳＭＳにより電子メッセージ送信にリンクされる、ことを特徴とする請求項１乃至３のいずれか１項記載の警報管理システム。
【請求項５】
前記複数の警報メッセージは、技術設備または技術プロセスの、複数の測定値、複数のプロセス変数、並びに／或いは複数の状態メッセージから形成される、ことを特徴とする請求項１乃至４のいずれか１項記載の警報管理システム。
【請求項６】
前記複数のディスプレイモジュール（41、42、43…4n）のうちの１つのディスプレイモジュールへの割当てに関する前記複数の境界条件（50）は、
前記技術設備の中の制御室における信号の大きさ、
規定された期間内で表示されることができる警報メッセージの最大数、および／または、
高い優先順位の警報メッセージの予め規定された数、
である、ことを特徴とする請求項１乃至５のいずれか１項記載の警報管理システム。
【請求項７】
前記複数のディスプレイモジュール（41、42、43…4n）のうちの１つのディスプレイモジュールへの割当てに関する前記複数の境界条件（50）は、係属中の複数の警報メッセージに関して送信されることができるＳＭＳまたはｅメールの予め決定された数である、ことを特徴とする請求項１乃至６のいずれか１項記載の警報管理システム。
【請求項８】
前記データ処理装置により形成される制御室に対して、複数の警報チャンネル（K1、K2、K3）が作成され、
前記複数の警報チャンネルの前記複数の境界条件（50）は、
予め規定された数の、予め規定された優先順位の係属中の警報メッセージを、前記制御室において表示することができることおよび／または音響で知らせることができること、
を規定している、ことを特徴とする請求項１乃至７のいずれか１項記載の警報管理システム。
【請求項９】
規則に基づく評価は、以下の条件にしたがって複数の脱出規則によって実行され、
前記条件は、
−前記警報メッセージは、チャンネル１に指定され、
前記チャンネル１は、第１の作業員に対してＳＭＳの形態で前記警報メッセージを提示することを指定されており、
前記チャンネル１が利用可能でないか、或いは前記チャンネル１が予め規定された数の係属中の警報メッセージを表示した結果として過剰負担がかけられているならば、前記警報メッセージがチャンネル２へ転送されることである、ことを特徴とする請求項１乃至８のいずれか１項記載の警報管理システム。
【請求項１０】
規則に基づく評価は、以下の条件にしたがって複数の脱出規則により実行され、
前記条件は、
−３以上の高い優先順位の警報メッセージが、前記警報チャンネル（K1、K2、K3）で係属中であるならば、より低い優先順位を有する全ての係属中の警報メッセージは、例えばアーカイブおよび／またはその後の評価と解析のために、中間バッファへ送信されることである、ことを特徴とする請求項１乃至９のいずれか１項記載の警報管理システム。
【請求項１１】
技術的設備または技術的プロセスの複数の警報メッセージを管理する方法であって、
前記複数の警報メッセージへアクセスするデータ処理装置を使用し、複数のディスプレイモジュール（41、42、43…4n）を使用して、前記複数の警報メッセージが提示され、
複数の警報チャンネル（K1、K2、K3）が、それぞれ係属中の複数の警報メッセージの異なるタイプの提示のために作成され、
作成された前記警報チャンネル（K1、K2、K3）は、前記複数のディスプレイモジュール（41、42、43…4n）のうちの１つのディスプレイモジュールへそれぞれ割当てられており、
前記作成された複数の警報チャンネル（K1、K2、K3）は、前記複数の警報メッセージを前記複数のディスプレイモジュール（41、42、43…4n）へ送信する複数の通信チャンネルの形態であり、
対応するディスプレイモジュール（41、42、43…4n）への割当てに関する複数の境界条件（50）が、作成された前記警報チャンネル（K1、K2、K3）に対してそれぞれ規定されており、
警報チャンネル（K1、K2、K3）ごとに、前記複数の警報メッセージを、関連する複数の境界条件（50）と、一致について比較し、
それぞれの前記警報チャンネル（K1、K2、K3）の前記関連する複数の境界条件（50）に一致する複数の警報メッセージは、それぞれの前記警報チャンネル（K1、K2、K3）の対応するディスプレイモジュール（41、42、43…4n）に提示するために供給され、
前記対応するディスプレイモジュール（41、42、43…4n）への割当てに関する関連する複数の境界条件（50）と一致しない複数の警報メッセージは、
選択モジュール（31、32、33）へ供給され、
別のディスプレイモジュール（41、42、43…4n）に割当てるために、予め決定されている複数の脱出規則と一致についてチェックされ、
それぞれ前記複数の脱出規則において決定されている条件に従って、前記別のディスプレイモジュール（41、42、43…4n）に提示するために送信される、ことを特徴とする方法。
【請求項１２】
第１の警報チャンネル(K1)に割当てることができる前記複数の警報メッセージを、リストとして提示するために、前記第１の警報チャンネル(K1)を備えており、
複数の音響信号と共に第２の警報チャンネル(K2)に割当てることができる前記複数の警報メッセージを提示するために、前記第２の警報チャンネル(K2)を備えている、ことを特徴とする請求項１１記載の方法。
【請求項１３】
係属中の複数の警報メッセージに対する別のタイプの提示として、警報クラウドおよび／または警報経歴のような提示を与える、ことを特徴とする請求項１１又は１２記載の方法。
【請求項１４】
少なくとも１つの警報チャンネル（K1、K2、K3）は、ｅメールまたはＳＭＳにより電子メッセージ送信にリンクされる、ことを特徴とする請求項１１乃至１３のいずれか１項記載の方法。
【請求項１５】
前記警報メッセージは、技術設備または技術プロセスの、複数の測定値、複数のプロセス変数、並びに／或いは複数の状態メッセージから形成される、ことを特徴とする請求項１１乃至１４のいずれか１項記載の方法。
【請求項１６】
前記複数のディスプレイモジュール（41、42、43…4n）のうちの１つのディスプレイモジュールへの割当てに関する前記複数の境界条件（50）は、
前記技術設備の中の制御室における信号の大きさ、
規定された期間内で表示されることができる警報メッセージの最大数、および／または、
高い優先順位の警報メッセージの予め規定された数、
から形成される、ことを特徴とする請求項１１乃至１５のいずれか１項記載の方法。
【請求項１７】
前記複数のディスプレイモジュール（41、42、43…4n）のうちの１つのディスプレイモジュールへの割当てに関する前記複数の境界条件（50）は、係属中の複数の警報メッセージに関して送信されることができるＳＭＳまたはｅメールの数により形成される、ことを特徴とする請求項１１乃至１６のいずれか１項記載の方法。
【請求項１８】
複数のデータ処理装置のうちの１つのデータ処理装置により形成される制御室に対して、複数の警報チャンネル（K1、K2、K3）が作成され、
前記複数の警報チャンネルの前記複数の境界条件（50）は、
予め規定された数の、予め規定された優先順位の係属中の警報メッセージを、前記制御室において表示することおよび／または音響で送信すること、
を規定している、ことを特徴とする請求項１１乃至１７のいずれか１項記載の方法。
【請求項１９】
規則に基づく評価は、以下の条件にしたがって複数の脱出規則によって実行され、
前記条件は、
−前記警報メッセージは、チャンネル１に指定され、
前記チャンネル１は、第１の作業員に対してＳＭＳの形態で前記警報メッセージを提示することを指定されており、
前記チャンネル１が利用可能でないか、または前記チャンネル１が予め規定された数の係属中の警報メッセージを表示した結果として過剰負担がかけられているならば、前記警報メッセージがチャンネル２へ転送されること、並びに／或いは、
−３以上の高い優先順位の警報メッセージが前記チャンネルで係属中であるならば、より低い優先順位を有する全ての係属中の警報メッセージを、例えばアーカイブおよび／またはその後の評価と解析のために、中間バッファへ送信することである、ことを特徴とする請求項１１乃至１８のいずれか１項記載の方法。
【手続補正２】
【補正対象書類名】明細書
【補正対象項目名】００４２
【補正方法】変更
【補正の内容】
【００４２】
示されている提示では、かなり良好な方法で、例えば複数の警報が同時に生じたかおよび／または短時間だけアクチブであるかを見分けることが可能である。さらに、優先順位、状態または継続期間のような異なる条件は異なる色および輝度により直観的に視覚化されることができる。線の幅は究極のケースでは１画素に限定されることができるので、多数の警報が視覚化されることもできる。さらに、警報の名称、時間スタンプまたは警報の説明文のようなさらに詳細が拡大鏡とも呼ばれる移動可能な拡大装置210を使用して利用可能にされることもできる。  
以下に、本願出願時の特許請求の範囲に記載された発明を付記する。
［１］技術的設備または技術的プロセスの警報メッセージを管理するための警報管理システムであって、前記警報メッセージはデータ処理装置へ供給されることができ、ディスプレイモジュール（41、42、43…4n）を使用して提示されることができる前記警報管理システムにおいて、
前記データ処理装置は前記それぞれの係属中の警報メッセージの異なるタイプの提示のために警報チャンネル（K1、K2、K3）を作成するためのモジュール（10）を有し、前記モジュール（10）を使用して作成された各前記警報チャンネル（K1、K2、K3）はそれぞれ前記ディスプレイモジュール（41、42、43…4n）の１つへ割当てられており、前記ディスプレイモジュール（41、42、43…4n）はリストおよび／または警報クラウド、および／または音響信号および／または警報経歴を伴った提示の形態で前記警報メッセージについての提示タイプを提供することを特徴とする警報管理システム。
［２］前記作成された警報チャンネル（K1、K2、K3）は通信チャンネルの形態であり、前記警報メッセージを前記ディスプレイモジュール（41、42、43…4n）へ送信することと意図されていることを特徴とする前記［１］記載の警報管理システム。
［３］前記対応するディスプレイモジュール（41、42、43…4n）への割当てに関する境界条件（50）は前記作成されたチャンネル（K1、K2、K3）に対してそれぞれ規定され、各チャンネル（K1、K2、K3）に対する比較モジュールは前記警報メッセージを一致について前記関連される境界条件（50）と比較し、前記それぞれのチャンネル（K1、K2、K3）の前記関連される境界条件（50）と一致する警報メッセージは提示の目的で前記それぞれのチャンネル（K1、K2、K3）の前記対応するディスプレイモジュール（41、42、43…4n）へ供給されることができ、前記対応するディスプレイモジュール（41、42、43…4n）への割当てに関する前記関連される境界条件（50）と一致しない警報メッセージは選択モジュール（31、32、33）へ供給されることができ、規則ベースの評価にしたがってディスプレイモジュール（41、42、43…4n）への割当てについて一致をチェックされることができ、提示の目的で前記関連されるディスプレイモジュール（41、42、43…4n）へ対応して送信されることができることを特徴とする前記［１］又は［２］記載の警報管理装置。
［４］少なくとも１つの警報チャンネル（K1、K2、K3）はｅメールまたはＳＭＳにより電子メッセージ送信にリンクされることを特徴とする前記［１］乃至前記［３］のいずれか１つに記載の警報管理システム。
［５］前記警報メッセージは測定された値、プロセス変数および／または技術設備または技術プロセスの状態メッセージから形成されることを特徴とする前記［１］乃至［４］のいずれか１つに記載の警報管理システム。
［６］前記ディスプレイモジュール（41、42、43…4n）の１つへの割当てに関する境界条件（50）は前記設備の前記制御室における信号量と、規定された時間期間内で表示されることができる警報メッセージの最大数および／または高い優先順位の警報メッセージの前もって規定された数であることを特徴とする前記［１］乃至［５］のいずれか１つに記載の警報管理システム。
［７］前記ディスプレイモジュール（41、42、43…4n）の１つへの割当てに関する前記境界条件（50）は係属中の警報メッセージに関して送信されることができるＳＭＳまたはｅメールの予め決定された数であることを特徴とする前記［１］乃至［６］のいずれか１つに記載の警報管理システム。
［８］チャンネル（K1、K2、K3）はデータ処理装置の１つにより形成される制御室に対して作成され、そのチャンネルが規定する前記境界条件（50）は、先に規定された優先順位の係属中の警報メッセージの先に規定された数が表示されることができおよび／または制御室で音響的に通報されることができることであることを特徴とする前記［１］乃至［７］のいずれか１つに記載の警報管理システム。
［９］前記規則ベースの評価は、以下の条件にしたがって脱出規則によって実行され、前記条件は、
−前記警報メッセージは第１の作業員に対してＳＭＳの形態で警報メッセージを提示することを意図されている第１のチャンネルを意図されており、前記第１のチャンネル１が利用可能ではないか、或いは前記第１のチャンネルが係属中の警報メッセージの先に規定された数を表示した結果として過剰負担されているならば、前記警報メッセージはチャンネル２へ転送されることを特徴とする前記［１］乃至［８］のいずれか１つに記載の警報管理システム。
［１０］規則ベースの評価は以下の条件にしたがって脱出規則により実行され、前記条件は、
−３以上の高い優先順位の警報がチャンネル（K1、K2、K3）で係属中であるならば、低い優先順位を有する全ての係属中の警報メッセージは例えばアーカイブおよび／またはその後の評価及び解析のために中間バッファへ送信されることを特徴とする前記［１］乃至［９］のいずれか１つに記載の警報管理システム。
［１１］技術的設備または技術的プロセスの警報メッセージを管理する方法であって、前記警報メッセージはディスプレイモジュール（41、42、43…4n）を使用し、前記警報メッセージへアクセスするデータ処理装置を使用して提示される前記方法において、
前記警報チャンネル（K1、K2、K3）は前記それぞれの係属中の警報メッセージの異なるタイプの提示のために作成され、前記作成された各前記警報チャンネル（K1、K2、K3）はそれぞれ前記ディスプレイモジュール（41、42、43…4n）の１つへ割当てられており、前記ディスプレイモジュール（41、42、43…4n）はリストおよび／または警報クラウド、および／または音響信号および／または警報経歴を伴った提示の形態で前記係属中の警報メッセージについての提示タイプを提供することを特徴とする方法。
［１２］前記作成された警報チャンネル（K1、K2、K3）は前記警報メッセージを前記ディスプレイモジュール（41、42、43…4n）へ送信するための通信チャンネルの形態であることを特徴とする前記［１１］記載の方法。
［１３］前記対応するディスプレイモジュール（41、42、43…4n）への割当てに関する境界条件（50）は前記作成されたチャンネル（K1、K2、K3）でそれぞれ規定され、前記警報メッセージは各チャンネル（K1、K2、K3）で一致について前記関連される境界条件（50）と比較され、前記それぞれのチャンネル（K1、K2、K3）の前記関連される境界条件（50）と一致する警報メッセージは提示の目的で前記それぞれのチャンネル（K1、K2、K3）の前記対応するディスプレイモジュール（41、42、43…4n）へ供給され、前記対応するディスプレイモジュール（41、42、43…4n）への割当てに関する前記関連される境界条件（50）と一致しない警報メッセージは選択モジュール（31、32、33）へ供給され、規則ベースの評価にしたがってディスプレイモジュール（41、42、43…4n）への割当てについて一致をチェックされ、提示の目的で前記関連されるディスプレイモジュール（41、42、43…4n）へ対応して送信されることを特徴とする前記［１１］又は［１２］記載の方法。
［１４］少なくとも１つの警報チャンネル（K1、K2、K3）はｅメールまたはＳＭＳにより電子メッセージ送信にリンクされることを特徴とする前記［１１］乃至［１３］のいずれか１つに記載の方法。
［１５］前記警報メッセージは測定された値、プロセス変数および／または技術設備または技術プロセスの状態メッセージから形成されることを特徴とする前記［１１］乃至［１４］のいずれか１つに記載の方法。
［１６］前記ディスプレイモジュール（41、42、43…4n）の１つへの割当てに関する前記境界条件（50）は、前記設備の前記制御室における信号量と、規定された時間期間内で表示されることができる警報メッセージの最大数および／または高い優先順位の警報メッセージの前もって規定された数から形成されることを特徴とする前記［１１］乃至［１５］のいずれか１つに記載の方法。
［１７］前記ディスプレイモジュール（41、42、43…4n）の１つへの割当てに関する前記境界条件（50）は、係属中の警報メッセージに関して送信されることができるＳＭＳまたはｅメールの数により形成されることを特徴とする前記［１１］乃至［１６］のいずれか１つに記載の方法。
［１８］チャンネル（K1、K2、K3）はデータ処理装置の１つにより形成される制御室に対して作成され、そのチャンネルが規定する前記境界条件（50）は、先に規定された優先順位の係属中の警報メッセージの先に規定された数が表示されることができおよび／または制御室で音響的に通報されることができることであることを特徴とする前記［１１］乃至［１７］のいずれか１つに記載の方法。
［１９］前記規則ベースの評価は以下の条件にしたがって脱出規則によって実行され、前記条件は、
−前記警報メッセージが第１の作業員に対してＳＭＳの形態で警報メッセージを提示することを意図されている第１のチャンネルを意図されており、前記第１のチャンネル１が利用可能ではないか、或いは前記第１のチャンネルが係属中の警報メッセージの先に規定された数を表示した結果として過剰負担されているならば、前記警報メッセージはチャンネル２へ転送され、および／または
−３以上の高い優先順位の警報が前記チャンネルで係属中であるならば、低い優先順位を有する全ての係属中の警報メッセージは例えばアーカイブおよび／またはその後の評価及び解析のために中間バッファへ送信されることを特徴とする前記［１１］乃至［１８］のいずれか１つに記載の方法。